(57)【要約】 【課題】本発明は、一定の重量を有する金属板をボディ背面に密接固定することにより、ボディの振動を抑制して弦振動を長くして減衰特性を向上させ、基音及び倍音の音源を伸ばした音響特性に改善することを目的としている。【解決手段】エレクトリック・ギター１のボディ４構造において、ボディ４背面の幅方向中央に、ブリッジ５の長手方向寸法と同等な幅を有するアルミ平板８を、ネジ９で密接固定して凸状に形成し、基音及び倍音の音響特性を改善したことを特徴とするエレクトリック・ギターのボディ構造である。【選択図】図１
2020013093.tif 000002
【特許請求の範囲】
【請求項１】
エレクトリック・ギターのボディ構造において、前記ボディ背面の幅方向中央に、ブリッジの長手方向寸法と同等な幅を有するアルミ平板を、ネジで密接固定して凸状に形成し、基音及び倍音の音響特性を改善したことを特徴とするエレクトリック・ギターのボディ構造。
【請求項２】
エレクトリック・ギターのボディ構造において、前記ボディ背面の幅方向中央に、ブリッジの長手方向寸法と同等な幅を有する矩形型の凹部形状の嵌合溝を形成し、前記ブリッジの長手方向寸法と同等な幅を有するアルミ平板を、前記嵌合溝に嵌合させて前記ボディに埋設して密接固定させ、基音及び倍音の音響特性を改善したことを特徴とするエレクトリック・ギターのボディ構造。
【請求項３】
請求項２に記載のエレクトリック・ギターのボディ構造において、前記アルミ平板の中央部に略Ｔ字型の凹部の溝を形成したアルミ平板を、前記嵌合溝に嵌合させて前記ボディに埋設して密接固定させ、基音及び倍音の音響特性を改善したことを特徴とするエレクトリック・ギターのボディ構造。
【請求項４】
請求項１に記載のエレクトリック・ギターのボディ構造において、前記アルミ平板の中央部に矩形型の凸部を形成して並行する複数のトレモロスプリングの間を仕切るように配置し、基音及び倍音の音響特性を改善したことを特徴とするエレクトリック・ギターのボディ構造。
【請求項５】
請求項３に記載のエレクトリック・ギターのボディ構造において、前記アルミ平板の略Ｔ字型の凹部の溝に矩形型の凸部を形成して並行する複数のトレモロスプリングの間を仕切るように配置し、基音及び倍音の音響特性を改善したことを特徴とするエレクトリック・ギターのボディ構造。
【発明の詳細な説明】
【技術分野】
【０００１】
本発明は、弦の振動を電気信号に変換してスピーカから発音させるエレクトリック・ギターのボディ構造に関するものである。
【背景技術】
【０００２】
エレクトリック・ギターにおいて、ボディ構造が中実構造のソリッドボディギターが知られている。ソリッド型は、ボディ本体を一枚の木材によって所要の形状に加工形成したものである。
【０００３】
ソリッド型のエレクトリック・ギターは、特許文献１に記載されているように、ボディ構造の製作容易性や演奏者の演奏性を向上させるため、ボディ本体の背面の幅方向中央に嵌合溝を全体に形成し、嵌合溝にネック本体の基底部を嵌合させボルトによって固定したことを特徴とするエレクトリック・ギターのボディ構造が開示されている。
【０００４】
また、特許文献２に記載されているように、ギターの展示装置であって、ボディの背面に板とポリエチレン発砲体からなる板の層状部材、アームと接続部材を備えたことを特徴とするギターのボディ構造が開示されている。
【先行技術文献】
【特許文献】
【０００５】
【特許文献１】特開２００３−３３０４６６号公報
【特許文献２】特開２０１５−２００８９９号公報
【発明の概要】
【発明が解決しようとする課題】
【０００６】
従来のエレクトリック・ギターの改善は、製作容易性や演奏性の向上が主なものであり、音響特性の改善を目的としたものではない。
【０００７】
エレクトリック・ギターの楽器音は手元から出ている音ではなく、弦を弾くことにより弦が振動しピックアップで音を拾い、ギターアンプから音が出るものである。そして、弦は弓なりに振動し次第に減衰していく。弦振動のエネルギーの一部がボディを振動させるエネルギーに相殺されると、弦振動の伸びが阻害される。
【０００８】
エレクトリック・ギターの演奏家には、エレクトリック・ギターを弾いた際に得られる基音及び倍音の音源の伸び（サステイン）を極力長く残るようにして欲しいという要望がある。このような音響特性を改善できれば、高音域から低音域にかけて透明感のある音が楽しめる。しかし、低価格帯のエレクトリック・ギターでは、趣味で演奏するミュージシャンにとって基音及び倍音の音源の伸びが希望するほど得られないのが実情である。
【０００９】
本発明は、上記事情にもとづきなされたもので、一定の重量を有する金属板をボディ背面に密接固定することにより、ボディの振動を抑制して弦振動を長くして減衰特性を向上させ、基音及び倍音の音源を伸ばした音響特性に改善することを目的としている。
【課題を解決するための手段】
【００１０】
第一実施例は、エレクトリック・ギターのボディ構造において、ボディ背面の幅方向中央に、ブリッジの長手方向寸法と同等な幅を有するアルミ平板を、ネジで密接固定して凸状に形成し、基音及び倍音の音響特性を改善したことを特徴とするエレクトリック・ギターのボディ構造である。
【００１１】
第二実施例は、エレクトリック・ギターのボディ構造において、ボディ背面の幅方向中央に、ブリッジの長手方向寸法と同等な幅を有する矩形型の凹部形状の嵌合溝を形成し、ブリッジの長手方向寸法と同等な幅を有するアルミ平板の中央部に略Ｔ字型の凹部の溝を形成したアルミ平板を、嵌合溝に嵌合させてボディに埋設して密接固定させ、基音及び倍音の音響特性を改善したことを特徴とするエレクトリック・ギターのボディ構造である。なお、トレモロ・ユニットが備えられていないエレクトリック・ギターのボディの場合、前述の略Ｔ字型の凹部の溝は不要である。
【００１２】
第三実施例は、エレクトリック・ギターのボディ構造において、第一実施例のアルミ平板の中央部に矩形型の凸部を形成して並行する複数のトレモロスプリングの間を仕切るように配置し、基音及び倍音の音響特性を改善したことを特徴とするエレクトリック・ギターのボディ構造である。
【００１３】
第四実施例は、エレクトリック・ギターのボディ構造において、第二実施例のアルミ平板の略Ｔ字型の凹部の溝に矩形型の凸部を形成して並行する複数のトレモロスプリングの間を仕切るように配置し、基音及び倍音の音響特性を改善したことを特徴とするエレクトリック・ギターのボディ構造である。
【発明の効果】
【００１４】
木材からなるボディ本体の背面にアルミ平板を密接固定することにより、ボディの振動が抑制され、従来はボディを振動させるエネルギーに取られていた弦振動のエネルギーが音の伸びとして現れ、基音及び倍音の音源が長く残り、基音及び倍音が一層明瞭に聞こえるようになる。
【００１５】
この結果、エレクトリック・ギターを弾いた際に得られる高音域から低音域にかけての基音及び倍音の音源が伸び、弦楽器の音響特性が一層改善される。このような独自の構造を採用することで、極めて優れた音響特性を発揮する高価な弦楽器を購入する場合に比べ、低価格帯のエレクトリック・ギターであっても、改造や新規製作を容易かつ安価に製作することが可能となる。
【図面の簡単な説明】
【００１６】
【図１】本発明の第一実施例の背面図及び側面図である。
【図２】本発明の第一実施例及び第二実施例の分解組立図を伴う斜視図である。
【図３】第一実施例及び第二実施例のボディ本体の一部を切断して示す断面図である。
【図４】第三実施例及び第四実施例のボディ本体の一部を切断して示す断面図である。
【発明を実施するための形態】
【００１７】
本発明を図１〜図４に示す実施形態に基づいて説明する。図１は本発明に係る第一実施例のエレクトリック・ギターを示す背面図及び側面図、図２は第一実施例及び第二実施例のエレクトリック・ギターの分解組立図を伴う斜視図、図３は第一実施例及び第二実施例のボディ本体の一部を切断して示す断面図、図４は第三実施例及び第四実施例のボディ本体の一部を切断して示す断面図を示している。
【００１８】
図１（Ａ）の背面図において、エレクトリック・ギター１は、従来のソリッド型エレクトリック・ギターと同様にヘッド２、ネック３、ボディ４、ネックジョイントプレート６とで構成されている。図１（Ｂ）は側面図であり、弦１０の一端をボディ４に固定し弦振動をボディ４に伝える役割を持ったブリッジ５、弦の振動を電気信号に変換するピックアップ１１とで構成されている。
【００１９】
本発明は、木材のボディ４の背面の幅方向中央に、図面に示すようなアルミ平板８を複数のネジ９によって密接して固定されている。アルミ平板８の素材は、軽量・耐食性・加工性に優れたＡｌ−Ｍｇ（アルミニウムマグネシウム）系合金であるが、ステンレス平板や鉄平板であっても代用できる。本発明においては、ステンレス平板や鉄平板がアルミ平板の約３倍の比重になるため、軽量で安価に入手可能なアルミ平板を選定した。
【００２０】
図１（Ｂ）において、アルミ平板８は、ボディ４の背面に凸状に固定されており、厚さは約３ｍｍ以上１０ｍｍ以下としている。アルミ平板８の長さは約４００ｍｍであり、幅はブリッジ５の長手方向の寸法と同等の約１００ｍｍとしている。
【００２１】
図２（Ａ）は、第一実施例における分解組立図を伴う斜視図を示している。ボディ４の背面の裏蓋を開けるとブリッジ５と接続されたトレモロスプリング１２が張ってあることを示している。音程を連続して変化させるためにトレモロ・ユニット等の機構が備えられているボディ４には、トレモロスプリング１２が取り付けられている。トレモロスプリング１２は、ストレート掛け又は八の字掛けのどちらでも良い。トレモロスプリング１２を覆うようにアルミ平板８をボディ４の背面の幅方向中央に、複数のネジ穴７に複数のネジ９を対応して固定する。
【００２２】
図２（Ｂ）は、第二実施例における分解組立図を伴う斜視図を示している。図２（Ａ）との相違点は、ボディ４の背面の幅方向中央に矩形型の凹部形状の嵌合溝１３を形成している。嵌合溝１３の長さ・幅・深さは、アルミ平板８の寸法に等しい。
【００２３】
図３は、第一実施例及び第二実施例におけるアルミ平板８の部品図と図１のＸ−Ｘ線拡大断面図及びＹ−Ｙ線拡大断面図を示している。
【００２４】
図３（Ａ）は、第一実施例であり、アルミ平板８の周縁には、複数の貫通孔が設けられている。
【００２５】
図３（Ａ）Ｘ−Ｘ線拡大断面図に示すように、ボディ４中央部の内部にはトレモロスプリング１２が備えられ、ボディ４中央部の正面にはブリッジ５が配置されている。アルミ平板８の幅は、トレモロスプリング１２を覆い、かつ、ブリッジ５の幅（長手方向）と同等であり、ネジ穴７にネジ９を対応して凸状になるように固定している。
【００２６】
図３（Ａ）Ｘ−Ｘ線拡大断面図及びＹ−Ｙ線拡大断面図に示すように、ボディ４の断面は凸状に形成されている。既存のエレクトリック・ギターを安価に改造する場合に有効な手段である。
【００２７】
図３（Ｂ）は、第二実施例であり、アルミ平板８の中央部は、ボディ４背面内部に備えられているスプリングハンガー、トレモロスプリング１２、イナーシャブロックと干渉しないように略Ｔ字型の凹部１４の溝が形成されている。なお、トレモロ・ユニット等が備えられていないエレクトリック・ギター１のボディ４の場合、前述の略Ｔ字型の凹部１４の溝は不要である。
【００２８】
図３（Ｂ）Ｘ−Ｘ線拡大断面図及びＹ−Ｙ線拡大断面図に示すように、ボディ４の背面の幅方向中央に矩形型の凹部形状の嵌合溝１３を形成し、嵌合溝１３にアルミ平板８を嵌合させネジ穴７にネジ９を対応し固定したものである。
【００２９】
アルミ平板８を嵌合溝１３に埋設することで、ボディ４の背面の表面側に段差を生じることがなく、エレクトリック・ギター１の美観は損なわれず、演奏者の演奏性に影響を及ぼすこともなくなる。エレクトリック・ギターを新規製作する場合、容易かつ安価に製作する手段として有効である。
【００３０】
図４は、第三実施例及び第四実施例におけるアルミ平板８の部品図と図１のＸ−Ｘ線拡大断面図及びＹ−Ｙ線拡大断面図を示している。
【００３１】
図４（Ａ）は、第三実施例であり、第一実施例におけるアルミ平板８の中央部に矩形型の凸部１５が形成され、当該凸部１５は、並行する複数のトレモロスプリング１２の間を仕切るように配置し、かつ、ボディ４の背面に接する構造とする。
【００３２】
図４（Ｂ）は、第四実施例であり、第二実施例におけるアルミ平板８の略Ｔ字型の凹部１４の溝に矩形型の凸部１５を形成され、当該凸部１５は、並行する複数のトレモロスプリング１２の間を仕切るように配置し、かつ、ボディ４の背面に接する構造とする。
【００３３】
第三実施例及び第四実施例は、トレモロスプリング１２の２本掛けの場合に有効な手段である。
【００３４】
本発明の実施例は、ボディ４の構造が中実構造のソリッドボディギターでトレモロ・ユニットを備えるエレクトリック・ギター１を示しているが、ヘッド２が無い、ネック３が無い、トレモロ・ユニットが無い、などの特殊なタイプのギターであっても活用することが可能である。
【符号の説明】
【００３５】
１    エレクトリック・ギター
２    ヘッド
３    ネック
４    ボディ
５    ブリッジ
６    ネックジョイントプレート
７    ネジ穴
８    アルミ平板
９    ネジ
１０  弦
１１  ピックアップ
１２  トレモロスプリング
１３  嵌合溝
１４  凹部
１５  凸部
【図１】
2020013093.tif 000003
【図２】
2020013093.tif 000004
【図３】
2020013093.tif 000005
【図４】
2020013093.tif 000006
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
エレクトリック・ギターのボディ構造において、前記ボディ背面の幅方向中央に、ブリッジの長手方向寸法と同等な幅を有し、中央部に矩形型の凸部を形成したアルミ平板を、並行する複数のトレモロスプリングの間を仕切るように配置し、前記アルミ平板をネジで密接固定して凸状に形成し、基音及び倍音の音響特性を改善したことを特徴とするエレクトリック・ギターのボディ構造。
【請求項２】
エレクトリック・ギターのボディ構造において、前記ボディ背面の幅方向中央に、ブリッジの長手方向寸法と同等な幅を有する矩形型の凹部形状の嵌合溝を形成し、前記ブリッジの長手方向寸法と同等な幅を有し、中央部に略Ｔ字型の凹部の溝を形成したアルミ平板を、前記嵌合溝に嵌合させて前記ボディに埋設して密接固定させ、基音及び倍音の音響特性を改善したことを特徴とするエレクトリック・ギターのボディ構造。
【請求項３】
請求項２に記載のエレクトリック・ギターのボディ構造において、前記略Ｔ字型の凹部の溝に矩形型の凸部を形成したアルミ平板を、並行する複数のトレモロスプリングの間を仕切るように配置し、前記嵌合溝に嵌合させて前記ボディに埋設して密接固定させ、基音及び倍音の音響特性を改善したことを特徴とするエレクトリック・ギターのボディ構造。